(57)【要約】【課題】  データ記録再生装置において、記憶されているコンテンツの一覧表示に要する時間を短縮することである。【解決手段】  ハードディスク１２０に記憶されている各コンテンツのＩ−Ｆｒａｍｅデータが、メモリ１００にコピーされて記憶されている。ディスプレイ装置２００に、ナビゲーション画面を表示させる際には、システム制御回路１０は、メモリ１００から各コンテンツのＩ−Ｆｒａｍｅデータを読み出して、当該Ｉ−Ｆｒａｍｅデータに対応する画像をサムネイル表示させるデータを作成し、ディスプレイ装置２００へと送信する。【選択図】        図１
2005197875.tif 000002
【特許請求の範囲】
【請求項１】
フレーム内圧縮データとフレーム間圧縮データとを含む映像データからなるコンテンツを記憶する第１の記憶部と、
データを記憶可能であり、前記第１の記憶部と独立して設けられた、第２の記憶部と、
前記第１の記憶部に記憶された各コンテンツを構成する映像データからフレーム内圧縮データを抽出し、前記抽出したフレーム内圧縮データを前記第２の記憶部にコピーして記憶させる記憶制御部と、
前記第２の記憶部に記憶されたフレーム内圧縮データを読出すことにより前記第１の記憶部に記憶されたコンテンツを一覧表示させるための画面のデータである一覧画面データを作成する画面データ作成部と、
前記一覧画面データを所定の表示装置に送信するデータ送信部と、
前記第１の記憶部に記憶されるコンテンツの内容の変更があったか否かを判断する判断部と、
前記記憶制御部の動作プログラムを記憶する主記憶装置と、
前記第１の記憶部に記憶されるコンテンツを管理するデータを記憶する補助記憶装置と、
データを圧縮するデータ圧縮部とを備え、
前記第１の記憶部は、補助記憶装置の内部に存在し、
前記第２の記憶部は、主記憶装置の内部に存在し、
前記記憶制御部は、
前記判断部が前記第１の記憶部に記憶されるコンテンツの内容に変更があったと判断したことを条件として、再度、前記抽出およびコピーを行ない、
前記所定の表示装置に一度に一覧表示される数のコンテンツについて、前記抽出およびコピーを行ない、
前記フレーム内圧縮データを前記第１の記憶部から抽出した後、前記データ圧縮部で圧縮して、前記第２の記憶部に記憶させる、データ記録再生装置。
【請求項２】
フレーム内圧縮データとフレーム間圧縮データとを含む映像データからなるコンテンツを記憶する第１の記憶部と、
データを記憶可能であり、前記第１の記憶部と独立して設けられた、第２の記憶部と、
前記第１の記憶部に記憶された各コンテンツを構成する映像データからフレーム内圧縮データを抽出し、前記抽出したフレーム内圧縮データを前記第２の記憶部にコピーして記憶させる記憶制御部と、
前記第２の記憶部に記憶されたフレーム内圧縮データを読出すことにより前記第１の記憶部に記憶されたコンテンツを一覧表示させるための画面のデータである一覧画面データを作成する画面データ作成部と、
前記一覧画面データを所定の表示装置に送信するデータ送信部と、
前記第１の記憶部に記憶されるコンテンツの内容の変更があったか否かを判断する判断部と、
前記記憶制御部の動作プログラムを記憶する主記憶装置と、
前記第１の記憶部に記憶されるコンテンツを管理するデータを記憶する補助記憶装置と、
データを圧縮するデータ圧縮部とを備え、
前記第１の記憶部は、補助記憶装置の内部に存在し、
前記第２の記憶部は、主記憶装置の内部に存在し、
前記記憶制御部は、
前記判断部が前記第１の記憶部に記憶されるコンテンツの内容に変更があったと判断したことを条件として、再度、前記抽出およびコピーを行ない、
前記所定の表示装置に次に表示されるべき、コンテンツを一覧表示させるための画面を生成するためのフレーム内圧縮データを前記第２の記憶部に記憶させるために、前記所定の表示装置の表示態様に応じて、前記第２の記憶部における記憶内容を更新し、かつ、
前記フレーム内圧縮データを前記第１の記憶部から抽出した後、前記データ圧縮部で圧縮して、前記第２の記憶部に記憶させる、データ記録再生装置。
【請求項３】
フレーム内圧縮データとフレーム間圧縮データとを含む映像データからなるコンテンツを記憶する第１の記憶部と、
データを記憶可能であり、前記第１の記憶部と独立して設けられた、第２の記憶部と、
前記第１の記憶部に記憶された各コンテンツを構成する映像データからフレーム内圧縮データを抽出し、前記抽出したフレーム内圧縮データを前記第２の記憶部にコピーして記憶させる記憶制御部と、
前記第２の記憶部に記憶されたフレーム内圧縮データを読出すことにより前記第１の記憶部に記憶されたコンテンツを一覧表示させるための画面のデータである一覧画面データを作成する画面データ作成部と、
前記一覧画面データを所定の表示装置に送信するデータ送信部とを備える、データ記録再生装置。
【請求項４】
前記第１の記憶部に記憶されるコンテンツの内容の変更があったか否かを判断する判断部をさらに備え、
前記記憶制御部は、前記判断部が前記第１の記憶部に記憶されるコンテンツの内容に変更があったと判断したことを条件として、再度、前記抽出およびコピーを行なう、請求項３に記載のデータ記録再生装置。
【請求項５】
前記記憶制御部の動作プログラムを記憶する主記憶装置と、
前記第１の記憶部に記憶されるコンテンツを管理するデータを記憶する補助記憶装置とをさらに備え、
前記第１の記憶部は、補助記憶装置の内部に存在し、
前記第２の記憶部は、主記憶装置の内部に存在する、請求項３または請求項４に記載のデータ記録再生装置。
【請求項６】
前記記憶制御部は、前記所定の表示装置に一度に一覧表示される数のコンテンツについて、前記抽出およびコピーを行なう、請求項３〜請求項５のいずれかに記載のデータ記録再生装置。
【請求項７】
前記記憶制御部は、前記所定の表示装置に次に表示されるべき、コンテンツを一覧表示させるための画面を生成するためのフレーム内圧縮データを前記第２の記憶部に記憶させるために、前記所定の表示装置の表示態様に応じて、前記第２の記憶部における記憶内容を更新する、請求項３〜請求項５のいずれかに記載のデータ記録再生装置。
【請求項８】
データを圧縮するデータ圧縮部をさらに備え、
前記記憶制御部は、前記フレーム内圧縮データを前記第１の記憶部から抽出した後、前記データ圧縮部で圧縮して、前記第２の記憶部に記憶させる、請求項３〜請求項７のいずれかに記載のデータ記録再生装置。
【発明の詳細な説明】
【技術分野】
【０００１】
本発明は、データ記録再生装置に関し、特に、記憶されているコンテンツの一覧を表示装置の画面に表示させる機能を有するデータ記録再生装置に関する。
【背景技術】
【０００２】
従来から、データ記録再生装置において、コンテンツの一覧表示が行なわれていた。これは、記憶されているコンテンツを一覧表示することにより、ユーザが、再生を所望するコンテンツを容易に選択するためである。なお、コンテンツの一覧表示は、たとえば、各コンテンツに含まれる映像データ中から１コマ分の画像をサムネイル表示する等して、行なわれていた。そして、このようにコンテンツが一覧表示された場合、多くの場合、ユーザは、サムネイル表示された画像の中から所望のコンテンツに対応する画像に対してクリック等の操作を行なうことにより、当該所望のコンテンツを再生させることができた。
【０００３】
なお、このような技術に関連する技術として、従来、ユーザが所望する位置からデータを再生させるための技術が種々開示されていた。たとえば、特許文献１には、ビデオ映像を再生できる装置において、ビデオコンテンツから対象となるオブジェクトを取出し、取出したオブジェクトの動きを或る投影面上の軌跡として表示し、表示された軌跡上での位置を指示することにより、ビデオコンテンツにおける所望の場面へのアクセスが可能となる技術が開示されている。
【特許文献１】特開２００１−５４０４０号公報
【発明の開示】
【発明が解決しようとする課題】
【０００４】
しかしながら、データ記録再生装置において、コンテンツの一覧表示が行なわれる場合、当該一覧表示の際には、各コンテンツが記憶されている領域からの一覧表示用の画像データの選出および取出等にある程度の時間が必要とされる。このため、データ記録再生装置では、再生を所望するコンテンツの選択を容易にするという便利な機能が備えられているにも拘わらず、ユーザは、当該機能による効果が得られる前に不便を感じてしまう事態が予想される。
【０００５】
また、特許文献１に記載された技術によると、「オブジェクトの動きの軌跡」が表示されるまでには、オブジェクトの取出し等の処理が必要とされるために、ある程度の時間を要する。このため、同様に、せっかく便利な機能が備えられていても、当該機能による効果が得られる前に、ユーザが不便を感じてしまう事態が予想される。
【０００６】
本発明は、かかる実情に鑑み考え出されたものであり、その目的は、データ記録再生装置において、記憶されているコンテンツの一覧表示に要する時間を短縮することである。
【課題を解決するための手段】
【０００７】
本発明のある局面に従ったデータ記録再生装置は、フレーム内圧縮データとフレーム間圧縮データとを含む映像データからなるコンテンツを記憶する第１の記憶部と、データを記憶可能であり、前記第１の記憶部と独立して設けられた、第２の記憶部と、前記第１の記憶部に記憶された各コンテンツを構成する映像データからフレーム内圧縮データを抽出し、前記抽出したフレーム内圧縮データを前記第２の記憶部にコピーして記憶させる記憶制御部と、前記第２の記憶部に記憶されたフレーム内圧縮データを読出すことにより前記第１の記憶部に記憶されたコンテンツを一覧表示させるための画面のデータである一覧画面データを作成する画面データ作成部と、前記一覧画面データを所定の表示装置に送信するデータ送信部と、前記第１の記憶部に記憶されるコンテンツの内容の変更があったか否かを判断する判断部と、前記記憶制御部の動作プログラムを記憶する主記憶装置と、前記第１の記憶部に記憶されるコンテンツを管理するデータを記憶する補助記憶装置と、データを圧縮するデータ圧縮部とを備え、前記第１の記憶部は、補助記憶装置の内部に存在し、前記第２の記憶部は、主記憶装置の内部に存在し、前記記憶制御部は、前記判断部が前記第１の記憶部に記憶されるコンテンツの内容に変更があったと判断したことを条件として、再度、前記抽出およびコピーを行ない、前記所定の表示装置に一度に一覧表示される数のコンテンツについて、前記抽出およびコピーを行ない、前記フレーム内圧縮データを前記第１の記憶部から抽出した後、前記データ圧縮部で圧縮して、前記第２の記憶部に記憶させることを特徴とする。
【０００８】
本発明の他の局面に従ったデータ記録再生装置は、フレーム内圧縮データとフレーム間圧縮データとを含む映像データからなるコンテンツを記憶する第１の記憶部と、データを記憶可能であり、前記第１の記憶部と独立して設けられた、第２の記憶部と、前記第１の記憶部に記憶された各コンテンツを構成する映像データからフレーム内圧縮データを抽出し、前記抽出したフレーム内圧縮データを前記第２の記憶部にコピーして記憶させる記憶制御部と、前記第２の記憶部に記憶されたフレーム内圧縮データを読出すことにより前記第１の記憶部に記憶されたコンテンツを一覧表示させるための画面のデータである一覧画面データを作成する画面データ作成部と、前記一覧画面データを所定の表示装置に送信するデータ送信部と、前記第１の記憶部に記憶されるコンテンツの内容の変更があったか否かを判断する判断部と、前記記憶制御部の動作プログラムを記憶する主記憶装置と、前記第１の記憶部に記憶されるコンテンツを管理するデータを記憶する補助記憶装置と、データを圧縮するデータ圧縮部とを備え、前記第１の記憶部は、補助記憶装置の内部に存在し、前記第２の記憶部は、主記憶装置の内部に存在し、前記記憶制御部は、前記判断部が前記第１の記憶部に記憶されるコンテンツの内容に変更があったと判断したことを条件として、再度、前記抽出およびコピーを行ない、前記所定の表示装置に次に表示されるべき、コンテンツを一覧表示させるための画面を生成するためのフレーム内圧縮データを前記第２の記憶部に記憶させるために、前記所定の表示装置の表示態様に応じて、前記第２の記憶部における記憶内容を更新し、かつ、前記フレーム内圧縮データを前記第１の記憶部から抽出した後、前記データ圧縮部で圧縮して、前記第２の記憶部に記憶させることを特徴とする。
【０００９】
本発明のさらに他の局面に従ったデータ記録再生装置は、フレーム内圧縮データとフレーム間圧縮データとを含む映像データからなるコンテンツを記憶する第１の記憶部と、データを記憶可能であり、前記第１の記憶部と独立して設けられた、第２の記憶部と、前記第１の記憶部に記憶された各コンテンツを構成する映像データからフレーム内圧縮データを抽出し、前記抽出したフレーム内圧縮データを前記第２の記憶部にコピーして記憶させる記憶制御部と、前記第２の記憶部に記憶されたフレーム内圧縮データを読出すことにより前記第１の記憶部に記憶されたコンテンツを一覧表示させるための画面のデータである一覧画面データを作成する画面データ作成部と、前記一覧画面データを所定の表示装置に送信するデータ送信部とを備えることを特徴とする。
【００１０】
また、本発明のデータ記録再生装置は、前記第１の記憶部に記憶されるコンテンツの内容の変更があったか否かを判断する判断部をさらに備え、前記記憶制御部は、前記判断部が前記第１の記憶部に記憶されるコンテンツの内容に変更があったと判断したことを条件として、再度、前記抽出およびコピーを行なうことが好ましい。
【００１１】
また、本発明のデータ記録再生装置は、前記記憶制御部の動作プログラムを記憶する主記憶装置と、前記第１の記憶部に記憶されるコンテンツを管理するデータを記憶する補助記憶装置とをさらに備え、前記第１の記憶部は、補助記憶装置の内部に存在し、前記第２の記憶部は、主記憶装置の内部に存在することが好ましい。
【００１２】
また、本発明のデータ記録再生装置では、前記記憶制御部は、前記所定の表示装置に一度に一覧表示される数のコンテンツについて、前記抽出およびコピーを行なうことが好ましい。
【００１３】
また、本発明のデータ記録再生装置では、前記記憶制御部は、前記所定の表示装置に次に表示されるべき、コンテンツを一覧表示させるための画面を生成するためのフレーム内圧縮データを前記第２の記憶部に記憶させるために、前記所定の表示装置の表示態様に応じて、前記第２の記憶部における記憶内容を更新することが好ましい。
【００１４】
また、本発明のデータ記録再生装置は、データを圧縮するデータ圧縮部をさらに備え、前記記憶制御部は、前記フレーム内圧縮データを前記第１の記憶部から抽出した後、前記データ圧縮部で圧縮して、前記第２の記憶部に記憶させることが好ましい。
【発明の効果】
【００１５】
本発明によると、データ記録再生装置に記憶されている各コンテンツについて、当該コンテンツを構成する映像データの中のフレーム内圧縮データが抽出され、また、抽出されたフレーム内圧縮データは、コンテンツが記憶されている領域とは異なる領域にコピーされ、そして、コンテンツを一覧表示させるための画面のデータ（一覧画面データ）の作成には、当該コピーされたフレーム内圧縮データが利用される。つまり、一覧画面データの作成の際には、予め抽出されたフレーム内圧縮データが利用され、作成の際に抽出を行なう必要がない。これにより、一覧画面データの作成の速度を向上させることができる。したがって、データ記録再生装置において記憶されているコンテンツの一覧表示に要する時間を短縮できる。
【００１６】
また、本発明によると、コンテンツの内容に変更があった場合には、それに応じて、予め抽出されてコピーされているフレーム内圧縮データの内容も変更される。
【００１７】
また、本発明によると、一覧画面データの作成に用いられるフレーム内圧縮データは、主記憶装置にコピーされるため、さらに、一覧画面データの作成の速度を向上させることができる。
【００１８】
また、本発明によると、フレーム内圧縮データは、所定の表示装置に一度に一覧表示されるコンテンツの分だけコピーされることから、一覧画面データの作成に十分利用できる量のフレーム内圧縮データをコピーしておくことができ、さらに、コピーに要する記憶領域を抑えることができる。
【００１９】
また、本発明によると、常に、次に表示させるべきコンテンツの一覧に必要なフレーム内圧縮データが、一覧画面データの作成のために抽出されてコピーされた状態にあるため、より確実に、一覧画面データの作成の速度を向上させることができる。
【００２０】
また、本発明によると、フレーム内圧縮データは、抽出された後、さらに圧縮されて、コピーされるため、コピーに要する記憶領域をさらに抑えることができる。
【発明を実施するための最良の形態】
【００２１】
以下、図面を参照しつつ、本発明の実施の形態を説明する。
【００２２】
図１は、本発明のデータ記録再生装置の第１の実施の形態であるハードディスクレコーダ１の構成を示す図である。
【００２３】
ハードディスクレコーダ１は、当該ハードディスクレコーダ１の全体的な動作を制御するシステム制御回路１０を備えている。
【００２４】
また、ハードディスクレコーダ１において、チューナ１１は、システム制御回路１０からディジタル放送のチャンネル指定信号が供給された場合には、この指定されたチャンネルのディジタル放送波を受信する。この際、チューナ１１は、受信したディジタル放送波を復調することによりＭＰＥＧ(Moving Picture Experts Group)信号を得て、これをＭＰＥＧ信号Ｍ１としてハードディスク装置１２に供給する。また、チューナ１１は、システム制御回路１０からアナログテレビジョン放送(ＮＴＳＣ（National Television Standards Committee）方式、ＰＡＬ（Phase Alternation by Line）方式、またはＳＥＣＡＭ（SEquential Couleur A Memoire）方式)のチャンネル指定信号が供給された場合には、この指定されたチャンネルのアナログテレビジョン放送波を受信する。この際、チューナ１１は、受信したアナログテレビジョン放送波を復調して得たテレビジョン信号をＭＰＥＧエンコーダ１４に供給する。ＭＰＥＧエンコーダ１４は、かかるテレビジョン信号に対してＭＰＥＧ符号化処理を施して得た信号をＭＰＥＧ信号Ｍ２としてハードディスク装置１２に供給する。
【００２５】
ハードディスク装置１２は、再生ＭＰＥＧ信号ＲＭをＭＰＥＧデコーダ１７に供給する。ＭＰＥＧデコーダ１７は、ハードディスク装置１２から供給されたＭＰＥＧ信号に対してＭＰＥＧ復号処理を施すことにより、映像信号を得てこれを映像信号ＤAVとしてセレクタ１８に供給する。ハードディスク装置１２は、ハードディスクレコーダ１における補助記憶装置であり、ハードディスク１２０と当該ハードディスク１２０に記録されたデータを再生させるためのピックアップ１２００とを含む。
【００２６】
ＯＳＤ(On Screen Display)画像生成回路１９は、システム制御回路１０から供給された各種メッセージ表示指令に応じた画像を表示させるべきメッセージ画像信号ＤC を生成し、これをセレクタ１８に供給する。セレクタ１８は、上記映像信号ＤAVおよびメッセージ画像信号ＤC の中から、システム制御回路１０から供給された選択信号に応じた方を択一的に選択し、これをディスプレイ装置２００に供給する。
【００２７】
ディスプレイ装置２００は、ハードディスクレコーダ１から供給された上記映像信号ＤAV、またはメッセージ画像信号ＤC に基づく画像表示を行なう。
【００２８】
操作装置２２は、ユーザからの、放送チャンネルを指定する操作、録画済みファイルの中から再生するファイルを指定する操作等、各種の操作を受付け、その操作に応じた各種操作信号をシステム制御回路１０に供給する。なお、操作装置２２は、たとえば、ハードディスクレコーダ１の筐体とは分離しているリモートコントローラからなる。
【００２９】
図２に、ハードディスク１２０内に定義されている記憶領域を模式的に示す。
【００３０】
ハードディスク１２０には、主に、リングバッファであるタイムシフト領域１２１と、情報を長期記録するための録画領域１２２と、タイムシフト領域１２１および録画領域１２２を管理する情報を記録されるインデックスデータ記憶領域１２３とが定義されている。タイムシフト領域１２１は、タイムシフト再生が行なわれる際に利用される。タイムシフト再生とは、チューナ１１またはＭＰＥＧエンコーダ１４からハードディスク装置１２に入力されたデータを、タイムシフト領域１２１に記録しつつ、（ほぼ）同時に再生する再生パターンである。
【００３１】
システム制御回路１０には、ハードディスクレコーダ１における主記憶装置であるメモリ１００が備えられている。図３に、メモリ１００の記憶内容を模式的に示す。
【００３２】
メモリ１００には、Ｉ−Ｆｒａｍｅデータ記憶領域１０１が定義されている。また、メモリ１００のその他の領域には、システム制御回路１０が実行するハードディスクレコーダ１の制御動作に必要なプログラム等が記憶されている。Ｉ−Ｆｒａｍｅデータ記憶領域１０１は、録画領域１２２に記憶されている各コンテンツを構成するブロックデータの中の１つのＩ−Ｆｒａｍｅデータがコピーされたものを、記憶するための領域である。
【００３３】
ハードディスクレコーダ１では、電源投入時、または、ユーザにより操作装置２２に対して所定の操作がなされた時等には、表示装置２００に、録画領域１２２に記録されたコンテンツの一覧を表示される画面（ナビゲーション画面）を表示させるための処理が実行される。図４に、ナビゲーション画面の一例を示す。
【００３４】
ナビゲーション画面４０では、表示欄４１〜４６のそれぞれに、録画領域１２２に記憶されているコンテンツの中の１コマ分の画像がサムネイル表示されている。ハードディスクレコーダ１は、表示欄４１〜４６に対して、クリック等の操作がなされた場合には、当該操作がなされた表示欄に対応するコンテンツの再生等の処理を実行する。また、ナビゲーション画面４０に表示される各コンテンツの１コマ分の画像は、Ｉ−Ｆｒａｍｅデータ記憶領域１０１に記憶されている各コンテンツのＩ−Ｆｒａｍｅデータに基づいた画像である。
【００３５】
図５に、システム制御回路１０がＩ−Ｆｒａｍｅデータ記憶領域１０１にＩ−Ｆｒａｍｅデータを記憶させる際に実行する処理（Ｉ−Ｆｒａｍｅデータ登録処理）のフローチャートを示す。ここで、図５を参照して、システム制御回路１０が、どのようにＩ−Ｆｒａｍｅデータ記憶領域１０１に各コンテンツのＩ−Ｆｒａｍｅデータを記憶させるかについて説明する。
【００３６】
図５を参照して、Ｉ−Ｆｒａｍｅデータ登録処理では、まずシステム制御回路１０は、ステップＳＡ１（以下、「ステップ」を省略する）で、変数であるＮを１にセットして、処理をＳＡ２に進める。
【００３７】
ＳＡ２で、システム制御回路１０は、録画領域１２２にＮ番目に記憶されているコンテンツの中のＩ−Ｆｒａｍｅデータを抽出し、Ｉ−Ｆｒａｍｅデータ記憶領域１０１にコピーして記憶させ、処理をＳＡ３に進める。なお、録画領域１２２内のコンテンツについての「Ｎ番目」とは、たとえば、当該録画領域１２２に記憶された日付が新しい順とすることができるし、または、ユーザによって指定された順とすることもできる。また、各コンテンツについて、複数のＩ−Ｆｒａｍｅデータが含まれている場合にどのＩ−Ｆｒａｍｅデータを抽出してくるかについての条件は、適宜、設定することが可能である。
【００３８】
ＳＡ３では、システム制御回路１０は、Ｉ−Ｆｒａｍｅデータ記憶領域１０１に、さらにＩ−Ｆｒａｍｅデータを記憶できるだけの十分な空き領域があるか否かを判断する。このときの判断とは、たとえば、その時点でのＩ−Ｆｒａｍｅデータ記憶領域１０１の空き領域が、予め定められた１つのＩ−Ｆｒａｍｅデータ分とされる容量以上であるか否かの判断とされる。そして、システム制御回路１０は、空き領域があると判断するとＳＡ４に処理を進め、無いと判断するとＳＡ６に処理を進める。
【００３９】
ＳＡ４では、システム制御回路１０は、現在のＮの値がＭに到達したか否かを判断する。ここで、Ｍとは、図４にナビゲーション画面４０として示したようなナビゲーション画面に一度にサムネイル表示されるコンテンツの画像の数である。たとえばナビゲーション画面として、図４のナビゲーション画面４０が表示される場合には、Ｍは６とされる。そして、システム制御回路１０は、ＮがＭに到達したと判断するとＳＡ６に処理を進め、ＮがまだＭに到達していないと判断するとＳＡ５に処理を進める。ＳＡ５では、システム制御回路１０は、Ｎを１加算更新して、ＳＡ２に処理を戻す。
【００４０】
一方、ＳＡ６では、インデックスデータ記憶領域１２３の記憶内容を参照することにより、今回Ｉ−Ｆｒａｍｅデータ登録処理を開始してから録画領域１２２に記憶されているコンテンツのインデックスに変更があったか否かを判断する。そして、変更があったと判断すると、システム制御回路１０は、ＳＡ１に処理を戻す。なお、インデックスの変更とは、たとえば、録画領域１２２に新たなコンテンツが記憶されたり、録画領域１２２に記憶されていたコンテンツが消去されたりすることを意味する。
【００４１】
以上説明したＩ−Ｆｒａｍｅデータ登録処理によると、Ｉ−Ｆｒａｍｅデータ記憶領域１０１には、録画領域１２２に記憶されているコンテンツの中の、１番目からＭ番目までのコンテンツのＩ−Ｆｒａｍｅデータが記憶される。また、Ｉ−Ｆｒａｍｅデータ記憶領域１０１における記憶内容は、録画領域１２２のインデックスの変更があった場合には、更新される。なお、Ｉ−Ｆｒａｍｅデータ記憶領域１０１の記憶容量が、１番目からＭ番目までのコンテンツＩ−Ｆｒａｍｅデータをすべて記憶するだけの容量を有しない場合には、１番目から順に、できるだけ多くのＩ−Ｆｒａｍｅデータが記憶される。一方、Ｉ−Ｆｒａｍｅデータ記憶領域１０１に、１番目からＭ番目までのコンテンツのＩ−Ｆｒａｍｅデータが記憶されても、さらに空き領域がある場合には、さらなるコンテンツのＩ−Ｆｒａｍｅデータが記憶されても良い。
【００４２】
また、以上説明したＩ−Ｆｒａｍｅデータ登録処理は、ハードディスクレコーダ１において常に実行される処理である。つまり、ハードディスクレコーダ１では、録画領域１２２に少なくとも１つのコンテンツが記憶されていれば、そのことに応じて、Ｉ−Ｆｒａｍｅデータ記憶領域１０１に、少なくとも１つのＩ−Ｆｒａｍｅデータがコピーされて記憶されていることになる。
【００４３】
次に、システム制御回路１０が実行する、ナビゲーション画面を表示するための処理（ナビゲーション画面表示処理）について、当該処理のフローチャートである図６を参照しつつ、説明する。なお、ナビゲーション画面表示処理は、ハードディスクレコーダ１において、電源投入時、または、ユーザにより操作装置２２に対して所定の操作がなされた時等、ナビゲーション画面を表示させる直前に実行される。
【００４４】
ナビゲーション画面表示処理では、システム制御回路１０は、まずＳＢ１で、ナビゲーション画面の表示要求があったか否かを判断し、あると判断するとＳＢ２に処理を進める。なお、ナビゲーション画面の表示要求とは、たとえば、操作装置２２に対して所定の操作がなされたことよって当該操作装置２２からなされる要求であったり、システム制御回路１０自身が所定の動作を行なったことに応じてなされる要求であったりする。
【００４５】
ＳＢ２で、システム制御回路１０は、ＰがＭ以上であるか否かを判断する。Ｐとは、Ｉ−Ｆｒａｍｅデータ記憶領域１０１に記憶されているＩ−Ｆｒａｍｅデータの数である。つまり、ＳＢ２では、Ｉ−Ｆｒａｍｅデータ記憶領域１０１に、ナビゲーション画面にサムネイル表示させるべきすべてのＩ−Ｆｒａｍｅデータが記憶されているか否かを判断していることになる。そして、システム制御回路１０は、ＰがＭ以上であると判断するとＳＢ４に処理を進め、ＰがＭ未満であると判断するとＳＢ３に処理を進める。
【００４６】
ＳＢ３では、システム制御回路１０は、録画領域１２２から、（Ｐ＋１）番目からＭ番目のコンテンツのＩ−Ｆｒａｍｅデータを読出して、処理をＳＢ４に進める。つまり、ＳＢ３では、システム制御回路１０は、ナビゲーション画面の表示に用いるＩ−Ｆｒａｍｅデータの中で、Ｉ−Ｆｒａｍｅデータ記憶領域１０１に記憶されているもの以外のものを録画領域１２２から直接読込む。
【００４７】
ＳＢ４では、１番目からＭ番目のコンテンツのＩ−Ｆｒａｍｅデータを用いて、ナビゲーション画面を表示させるためのデータを作成し、そして、ＳＢ５で、当該データをＯＳＤ画像生成回路１９およびセレクタ１８を介してディスプレイ装置２００へと送信して、ナビゲーション画面表示処理を終了させる。ＳＢ４でのデータの作成に用いられるＩ−Ｆｒａｍｅデータは、基本的には、Ｉ−Ｆｒａｍｅデータ記憶領域１０１に記憶させているデータであるが、ＳＢ３の処理が実行された場合には、当該ＳＢ３の処理に従って読出されたＩ−Ｆｒａｍｅデータも含まれる。
【００４８】
以上説明したナビゲーション画面表示処理では、ナビゲーション画面を表示させるためのデータの作成において、少なくとも１つのＩ−Ｆｒａｍｅデータが録画領域１２２とは別の領域に予め抽出されて記憶されているので、当該Ｉ−Ｆｒａｍｅデータを利用することにより、データの作成のために要する時間を短縮できる。
【００４９】
以上説明した本実施の形態において、各コンテンツのＩ−Ｆｒａｍｅデータは、主記憶装置内に設けられたＩ−Ｆｒａｍｅデータ記憶領域１０１内に記憶されているため、ナビゲーション画面を表示させるためのデータの作成において処理時間の短縮が可能となっている。なお、Ｉ−Ｆｒａｍｅデータが、少なくとも録画領域１２２とは別の領域に予め抽出されて記憶されていれば、当該データの作成の際に、Ｉ−Ｆｒａｍｅデータを直接録画領域１２２から抽出して利用するよりも、処理時間の短縮が可能となると考えられる。つまり、Ｉ−Ｆｒａｍｅデータを記憶する領域は、主記憶装置内ではなく、図７に示すように、ハードディスク１２０内にＩ−Ｆｒａｍｅデータ記憶領域１２４として設けられても良い。
【００５０】
また、録画領域１２２に記憶されているすべてのコンテンツが一度のナビゲーション画面で一覧表示できない場合には、ハードディスクレコーダ１は、たとえば図８に示すように、複数のナビゲーション画面に分けて、コンテンツの一覧を表示させる。
【００５１】
図８では、ナビゲーション画面４０Ａ〜４０Ｄとして、４つのナビゲーション画面が示されている。ハードディスクレコーダ１は、ディスプレイ装置２００に、ナビゲーション画面４０Ａ〜４０Ｄのいずれかの画面を表示させるよう信号を送る。
【００５２】
操作装置２２に対して表示される画面を入れ替える操作がなされると、ナビゲーション画面４０Ａ〜４０Ｄは、図８中に矢印で示すように、順番に、表示が入れ替わるように構成されている。つまり、ナビゲーション画面４０Ａの次は、ナビゲーション画面４０Ｂが表示される。ナビゲーション画面４０Ｂの次は、ナビゲーション４０Ａに表示が戻されることも可能であるし、ナビゲーション画面４０Ｃに表示が進められることも可能である。また、ナビゲーション画面４０Ｃの次は、ナビゲーション４０Ｂに表示が戻されることも可能であるし、ナビゲーション画面４０Ｄに表示が進められることも可能である。そして、ナビゲーション画面４０Ｄが表示されているときは、次には、ナビゲーション画面４０Ｃにのみ画面が戻される。
【００５３】
このような場合、Ｉ−Ｆｒａｍｅデータ記憶領域１０１（またはＩ−Ｆｒａｍｅデータ記憶領域１２４）に記憶されるＩ−Ｆｒａｍｅデータは、図９に表形式で示されるように、表示される画面に応じて入れ替えられても良い。なお、図９（および図８）では、ナビゲーション画面４０Ａ，４０Ｂ，４０Ｃ，４０Ｄをそれぞれ「画面１」「画面２」「画面３」「画面４」として示している。図９には、「（ディスプレイ装置２００で）表示される（ナビゲーション）画面」と「Ｉ−Ｆｒａｍｅデータ記憶領域（１０１または１２４）に記憶されるＩ−Ｆｒａｍｅデータ」とが、関連付けられて、記載されている。
【００５４】
図９を参照して、「画面１」が表示されているときには、Ｉ−Ｆｒａｍｅデータ記憶領域１０１または１２４には、「画面２」を表示させるためのデータの作成に用いるＩ−Ｆｒａｍｅデータが抽出され記憶されている。次に表示されると考えられる画面が「画面２」のみであるためである。
【００５５】
そして、「画面２」が表示されているときには、Ｉ−Ｆｒａｍｅデータ記憶領域１０１または１２４には、「画面１」を表示させるためのデータの作成に用いるＩ−Ｆｒａｍｅデータの半分と、「画面３」を表示させるためのデータの作成に用いるＩ−Ｆｒａｍｅデータの半分とが抽出され記憶されている。次に表示されると考えられる画面が「画面１」と「画面３」であるためである。
【００５６】
また、「画面３」が表示されているときには、Ｉ−Ｆｒａｍｅデータ記憶領域１０１または１２４には、「画面２」を表示させるためのデータの作成に用いるＩ−Ｆｒａｍｅデータの半分と、「画面４」を表示させるためのデータの作成に用いるＩ−Ｆｒａｍｅデータの半分とが抽出され記憶されている。次に表示されると考えられる画面が「画面２」と「画面４」であるためである。
【００５７】
また、「画面４」が表示されているときには、Ｉ−Ｆｒａｍｅデータ記憶領域１０１または１２４には、「画面３」を表示させるためのデータの作成に用いるＩ−Ｆｒａｍｅデータが抽出され記憶されている。次に表示されると考えられる画面が「画面３」のみであるためである。
【００５８】
さらに、Ｉ−Ｆｒａｍｅデータ記憶領域１０１または１２４に、より多くの数のＩ−Ｆｒａｍｅデータを、Ｉ−Ｆｒａｍｅデータ記憶領域１０１または１２４として必要とされる記憶容量を抑えて、記憶させるために、システム制御回路１０は、Ｉ−Ｆｒａｍｅデータを、録画領域１２２から抽出した後、ＭＰＥＧエンコーダ１４で再度圧縮した後、Ｉ−Ｆｒａｍｅデータ記憶領域１０１または１２４に記憶させても良い。再度圧縮することにより、ナビゲーション画面に表示される各Ｉ−Ｆｒａｍｅデータに基づいたサムネイル表示される画像の画質は低下すると考えられるが、当該画像は、ナビゲーション画面で、コンテンツの内容を示すために表示されるものであるため、問題ないと考えられる。
【００５９】
また、このようなＩ−Ｆｒａｍｅデータに対する再度の圧縮により、図９に示された関連は、図１０に示されるように修正されることが可能になる場合がある。つまり、図１０を参照して、「画面２」が表示されているときに、Ｉ−Ｆｒａｍｅデータ記憶領域１０１または１２４には、「画面１」と「画面３」を表示させるためのデータの作成に用いるＩ−Ｆｒａｍｅデータのすべてが記憶可能な場合がある。また、「画面３」が表示されているときに、Ｉ−Ｆｒａｍｅデータ記憶領域１０１または１２４には、「画面２」と「画面４」を表示させるためのデータの作成に用いるＩ−Ｆｒａｍｅデータのすべてが記憶可能な場合がある。
【００６０】
以上説明した本実施の形態では、ナビゲーション画面４０等のナビゲーション画面には、一度に、６個のコンテンツについての画像がサムネイル表示されていたが、本発明に従ったデータ記録再生装置が表示させるナビゲーション画面でのサムネイル表示する画像の数はこれに限定されない。つまり、ディスプレイ装置２００の画面の大きさ等に応じて、適宜、変更されてもよい。
【００６１】
また、メモリ１００におけるＩ−Ｆｒａｍｅデータ記憶領域のデータ量は、たとえば、１〜１．５Ｍ（メガ）バイトとすることができるが、これについても、メモリ１００自体の容量やナビゲーション画面で一度にサムネイル表示させる画像の個数等に応じて、適宜変更されても良い。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６３】
【図１】本発明のデータ記録再生装置の一実施の形態であるハードディスクレコーダの構成を示す図である。
【図２】図１のハードディスク内に定義されている記憶領域を模式的に示す図である。
【図３】図１のシステム制御回路に備えられるメモリの記憶内容を模式的に示す図である。
【図４】図１のハードディスクレコーダが表示させるナビゲーション画面の一例を示す図である。
【図５】図１のシステム制御回路が実行するＩ−Ｆｒａｍｅデータ登録処理のフローチャートである。
【図６】図１のシステム制御回路が実行するナビゲーション画面データ作成Ｉ−Ｆｒａｍｅデータ登録処理のフローチャートである。
【図７】図１のハードディスクにおいて定義される記憶領域の変形例を示す図である。
【図８】図１のハードディスクレコーダが複数のナビゲーション画面を表示させる場合の表示態様を説明するための図である。
【図９】図１のハードディスクレコーダがディスプレイ装置に表示させるナビゲーション画面と、Ｉ−Ｆｒａｍｅデータ記憶領域に記憶されるＩ−Ｆｒａｍｅデータとの関連を示す図である。
【図１０】図９に示された関連の変形例を示す図である。
【符号の説明】
【００６４】
１  ハードディスクレコーダ、１０  システム制御回路、１１  チューナ、１２  ハードディスク装置、１８  セレクタ、１４  ＭＰＥＧエンコーダ、１７  ＭＰＥＧデコーダ、１９  ＯＳＤ画像生成回路、２２  操作装置、２３  タイマ、４０，４０Ａ〜４０Ｄ  ナビゲーション画面、１００  メモリ、１０１，１２４  Ｉ−Ｆｒａｍｅデータ記憶領域、１２０  ハードディスク、１２１  タイムシフト領域、１２２  録画領域、２００  ディスプレイ装置。
【図１】
2005197875.tif 000003
【図２】
2005197875.tif 000004
【図３】
2005197875.tif 000005
【図４】
2005197875.tif 000006
【図５】
2005197875.tif 000007
【図６】
2005197875.tif 000008
【図７】
2005197875.tif 000009
【図８】
2005197875.tif 000010
【図９】
2005197875.tif 000011
【図１０】
2005197875.tif 000012